(57)【特許請求の範囲】
【請求項１】
空気調和機の制御基板のうち強電回路からなる第１印刷配線板と、前記第１印刷配線板中央に前記電気品筐体内の通風方向に交差しない垂直な角度で、前記第１印刷配線板から独立させた弱電回路を有する第２印刷配線板を第１印刷配線板の後段に実装されている複数の電解コンデンサに対して各々均等に通風が供給されるように固定したことを特徴とする空気調和機のインバータ電気部品。
【発明の詳細な説明】
【０００１】
【発明の属する技術分野】
この発明は、空気調和機のインバータの電気品構造に関するものである。
【０００２】
【従来の技術】
従来のプリント基板の冷却構造は、基板の冷却構造において高発熱体と低発熱体とを仕切り板で分離し、仕切り板に設けた風量調整片により、冷却風量を調整する技術が特開平２−１９４５９５号公報に開示されている。
【０００３】
【発明が解決しようとする課題】
従来の電気品構造は、以上のような構成であるため、印刷配線板上の部品の冷却を通風によって効率よく行うために、複数の仕切板、及び通風を誘導するための案内板を設ける必要があり、又、その効果は印刷配線板上の部品に限定される為、インバータ制御回路を有する電気品の冷却効果を得るためには十分な効果が得られないといった課題があった。
【０００４】
又、従来の電気品の冷却構造は、通風を案内するための仕切板及び案内板を別に設ける必要があり、仕切板及び案内板を取り付ける為の工数、及び直接材料費が必要となるなどの問題があった。
【０００５】
この発明は、上記のような課題を解消するためになされたもので、通風用の案内板及び仕切板を別に設けることなく、サブ基板の取り付け及び、発熱部品の実装位置を改善することによって、印刷配線板上の部品のみでなく、基板に実装されていない発熱部品の冷却のための通風の案内を行う効果を得ることを目的とする。
【０００６】
又、メインの基板上にサブ基板を実装することによって、通風のバランスを改善する効果が得られるため、複数の発熱部品の冷却を行う際に、冷却用の通風をバランスよく個々の発熱部品に案内することによって、より効率の良い発熱部品の冷却効果を得ることを目的とする。
【０００７】
また、高電圧、大電流の回路を１枚の基板に構成し、又マイコンなどの低電圧低電流の回路を別基板に構成し、各基板間を中継器等により接続することにより、電気的な雑音による影響を押さえる効果を得ることを目的とする。
【０００８】
【課題を解決するための手段】
この発明の空気調和機のインバータ電気部品は、空気調和機の制御基板のうち強電回路からなる第１印刷配線板と、前記第１印刷配線板中央に前記電気品筐体内の通風方向に交差しない垂直な角度で、前記第１印刷配線板から独立させた弱電回路を有する第２印刷配線板を第１印刷配線板の後段に実装されている複数の電解コンデンサに対して各々均等に通風が供給されるように固定したものである。
【００１５】
【発明の実施の形態】
実施の形態１．
以下、この発明の実施の形態１を図について説明する。図１において、１は空気調和機の電気品筐体で、外気を吸入する吸入口２を開口している。３はこの電気品筐体１を閉塞するように蓋を兼ねた第１印刷配線板で、インバータの制御を行う為の制御基板のうち強電回路から成る高電圧、高電流回路のみを有している。４は第２印刷配線板で、前記第１印刷配線板３の制御基板から独立させた弱電回路からなる低電流、低電圧回路のみにて構成されているマイコン基板の回路を有している。この第２印刷配線板４は、第１印刷配線板３に取り付けられ、図に示す様にほぼ第１印刷配線板３の中間の位置に中継器５によって固定されている。又、第２印刷配線板４上には表裏に発熱部品（図示されていない）が実装されており、それら実装部品については第２印刷配線板４を第１印刷配線板３に対して垂直であり、かつ電気品筐体１内の通風方向に交差しない角度で存在していることによって、冷却用の通風Ａが第２印刷配線板４の表裏両面に対して供給されるため十分な冷却効果を得ることが出来る。
【００１６】
次に、動作について説明する。分割した第１印刷配線板３に対して垂直な角度にて第２印刷配線板４を実装することによって、第２印刷配線板４に対する通風Ａは、第２印刷配線板４の表裏両方に対して供給されるため、従来通風の当たり難かった半田付け面に対しても十分な冷却効果が得られ、同表面に対しても発熱部品を実装して使用することが可能となり、印刷配線板上の発熱部品の有効実装面積を拡大することが可能となる。
【００１７】
また、外部より取り入れられた交流電源は、電気品内の雑音成分除去回路を有した第３印刷配線板６を通過した後、第１印刷配線板３に取り込まれ、第１印刷配線板３内で各種直流電源を生成しており、その内の低電圧の電源のみが第２印刷配線板４に供給されることになるため、マイコン周辺の低電圧回路にて構成されている第２印刷配線板４に対しては高電圧高電流の回路を有する第１印刷配線板３より発する電気的雑音成分による影響を、極力低減させるといった効果を得ることができる。
【００１８】
実施の形態２．
又、前記実施の形態１では、第１印刷配線板３に実装若しくは固定された第２印刷配線板４に対して供給される冷却用の通風Ａが第２印刷配線板４の表裏両方に対してなされることにより、従来通風の当たり難かった印刷配線板の半田塗布面に対しても冷却効果が得られるため、発熱部品の有効実装面積を拡大する内容を示したが、第２印刷配線４を図２に示したように第１印刷配線板３上の中央付近に、第１印刷配線板３に対して垂直、若しくは垂直に近い角度にて実装、若しくは固定し、かつ実装した第２印刷配線板４が電気品内の通風Ａに対して交差しないような角度にて電気品内に固定することによって、吸入口２から進入した通風Ａが第２印刷配線板４によって、第１印刷配線板３の後段に実装されている複数の電解コンデンサ７に対して均等に供給される。
【００１９】
次に、動作について説明する。まず、電気品の吸入口２より吸入された通風Ａは、第１印刷配線板３上に第１印刷配線板３に対して垂直、かつ電気品筐体内の通風方向に対して交差しない形で実装された第２印刷配線板４を通過することによって、第２印刷配線板４を中心としたほぼ均等に分割され、第１印刷配線板３の後段に実装されている複数の電解コンデンサ７に対して、各々均等に供給され、安定した電解コンデンサ７の冷却を得ることを可能とする。
【００２０】
実施の形態３．
又、前記実施の形態２では、第２印刷配線板４によって均等に配分された通風Ａによって、後段に実装したコンデンサ７に対する安定した冷却効果を得ているが、図３中に示す第１印刷配線板３の後段に実装されている複数の電力型半導体素子８及び電力型半導体素子を冷却する目的で存在している放熱板９の冷却を行うにあたり、前記実施の形態２同様各々の素子及び放熱板９に対する冷却用の通風Ａを安定した状態で供給する。
【００２１】
次に、動作について説明する。まず、電気品の吸入口２より吸入された通風Ａは、第１印刷配線板３上に第１印刷配線板３に対して垂直、かつ電気品筐体内の通風方向に対して交差しない形で実装された第２印刷配線板４を通過することによって、第２印刷配線板４を中心としたほぼ均等に分割されると共に、第２印刷配線板４の表面を通風Ａが伝わることによって、その流れが整えられ、第１印刷配線板３の後段に実装されている複数の電力型半導体素子８及びこれを冷却するために据え付けられている放熱板９に対して、各々安定した状態で供給され、より高い冷却効果を得ることが可能となる。
【００２２】
実施の形態４．
又、前記実施の形態３では第１印刷配線板３に実装する第２印刷配線板４は、通風Ａに対して交差しない角度にて第２印刷配線板４を第１印刷配線板３に固定する事によって、筐体１内の通風Ａのバランスを調整する事によって、第１印刷配線板３の後段に実装されている発熱部品の冷却効果を改善することを目的としているが、第２印刷配線板４に図４に示すような通風案内板１０を角度を付けて追加装備することによって筐体内の総通風の内、第１印刷配線板３下方に位置するリアクター１１に対して供給される通風Ａを、より冷却効果の高まる様に通風Ａの角度をつけるようにする。
【００２３】
次に、動作について説明する。まず、電気品の吸入口２より吸入された通風Ａは、第１印刷配線板３上に第１印刷配線板３に対して垂直、かつ電気品筐体１内の通風方向に対して交差しない形で実装された第２印刷配線板４を通過することによって、第２印刷配線板４を中心としたほぼ均等に分割されると共に、第２印刷配線板４の表面に取り付けられた通風案内板１０を通過することによって、通風案内板１０の角度分だけ通風Ａの進行方向が変化し、リアクター１１に対して効率の良い角度での通風の供給が可能となり、リアクター１１の発熱をより押さえることが可能となる。
【００２４】
実施の形態５．
又、前記実施の形態４では、リアクター１１対して供給させる冷却用の通風Ａを改善する手段として通風Ａを案内するための通風案内板１０を、第２印刷配線板４上に実装する手段を記述したが、通風案内板１０を図５に示すように角度を付けて第１印刷配線板３上に固定しても同様の効果が得られると共に、一対の通風案内板１０を第１印刷配線板１上に実装した第２印刷配線板２を挟み込むように接した状態で第１印刷配線板１上に実装することによって、第２印刷配線板２の固定を補助する。
【００２５】
次に、動作について説明する。まず、電気品の吸入口２より吸入された通風Ａは、第１印刷配線板３上に取り付けられた通風案内板１０を通過することによって、通風案内板１０の角度分だけ通風Ａの進行方向が変化し、リアクター１１に対して効率の良い角度での通風Ａの供給が可能となり、リアクター１１の発熱をより押さえることが可能となる。
【００２６】
又、前記通風案内板１０を第１印刷配線板３上に実装し、かつ通風案内板１０を第１印刷配線板３上に実装された第２印刷配線板４に密着する位置に置くことによって、中継器５によって固定されている第２印刷配線板４を通風案内板１０によって更に固定することによって、第２印刷配線板４の揺れを防ぐ効果を得るため、振動などによる劣化を防止するといった効果が得られる。
【００２７】
【発明の効果】
以上のように、この発明に係る空気調和機のインバータ電気部品は、空気調和機の制御基板のうち強電回路からなる第１印刷配線板と、前記第１印刷配線板中央に前記電気品筐体内の通風方向に交差しない垂直な角度で、前記第１印刷配線板から独立させた弱電回路を有する第２印刷配線板を第１印刷配線板の後段に実装されている複数の電解コンデンサに対して各々均等に通風が供給されるように固定した構成としたから、冷却用通風を第２印刷配線板によって複数の電解コンデンサに対して均等に分配し、各々に対して安定した冷却効果を得ることができる。
【図面の簡単な説明】
【図１】  この発明の実施の形態１の空気調和機のインバータ電気部品を一部切り欠いて示す分解斜視図である。
【図２】  この発明の実施の形態１又は実施の形態２の要部を下方より視示した斜視図である。
【図３】  この発明の実施の形態３の要部を下方より視示した斜視図である。
【図４】  この発明の実施の形態４の空気調和機のインバータ電気部品を一部切り欠いて示す分解斜視図である。
【図５】  この発明の実施の形態５の空気調和機のインバータ電気部品を一部切り欠いて示す分解斜視図である。
【符号の説明】
１  電気品筐体、３  第１印刷配線板、４  第２印刷配線板、５  中継器、７コンデンサ、８  電力型半導体素子、１０  通風案内板、１１  リアクター。
【図１】
0003787987.tif 000002
【図２】
0003787987.tif 000003
【図３】
0003787987.tif 000004
【図４】
0003787987.tif 000005
【図５】
0003787987.tif 000006